(57)【要約】【課題】点灯時間を変更するときの誤操作を抑制する照明制御装置を提供する【解決手段】照明制御装置１はスイッチ３０と変更部１１と点灯制御部１２とを備える。スイッチ３０は点灯時間が割り当てられた第１位置Ｐ１と点灯時間が割り当てられた第２位置Ｐ２との間を移動させられる。変更部１１はスイッチ３０が第１位置Ｐ１と第２位置Ｐ２との間を繰り返し移動することに応じて第１位置Ｐ１に割り当てられた点灯時間と第２位置Ｐ２に割り当てられた点灯時間との少なくとも１つを変更する。点灯制御部１２は、光源３の周囲環境の変化を検知する検知部２０の検知結果に応じて、スイッチ３０が第１位置Ｐ１に位置する場合第１位置Ｐ１に割り当てられた点灯時間にわたって所定点灯状態で点灯するように光源３を制御し、スイッチ３０が第２位置Ｐ２に位置する場合第２位置Ｐ２に割り当てられた点灯時間にわたって所定点灯状態で点灯するように光源３を制御する。【選択図】図１
2020181641.tif 000002
【特許請求の範囲】
【請求項１】
複数の位置に移動させることが可能であって、光源の点灯時間が割り当てられた第１位置と、前記第１位置に割り当てられた前記点灯時間と異なる点灯時間が割り当てられた第２位置との間を移動させることが可能なスイッチと、
前記スイッチが前記第１位置と前記第２位置との間を繰り返し移動させられることに応じて、前記第１位置に割り当てられた前記点灯時間と、前記第２位置に割り当てられた前記点灯時間との少なくとも１つを変更する変更部と、
前記光源の周囲環境の変化を検知する検知部の検知結果に応じて、前記光源を制御する点灯制御部と
を備え、
前記検知部の検知結果に応じて、前記点灯制御部は、
前記スイッチが前記第１位置に位置する場合、前記第１位置に割り当てられた前記点灯時間にわたって所定点灯状態で点灯するように、前記光源を制御し、
前記スイッチが前記第２位置に位置する場合、前記第２位置に割り当てられた前記点灯時間にわたって前記所定点灯状態で点灯するように、前記光源を制御する、照明制御装置。
【請求項２】
前記変更部が、前記第１位置に割り当てられた前記点灯時間と、前記第２位置に割り当てられた前記点灯時間との少なくとも１つを変更したことを報知する報知部をさらに備える、請求項１に記載の照明制御装置。
【請求項３】
前記スイッチは、前記第１位置と前記第２位置と第３位置とに位置することが可能であり、
前記第２位置は、前記第１位置と前記第３位置との間に位置し、
前記スイッチが前記第３位置に位置する場合、前記点灯制御部は、前記検知部の検知結果に応じて、前記第３位置に割り当てられた点灯時間にわたって前記所定点灯状態で点灯するように前記光源を制御し、
前記第１位置と前記第２位置との間の前記スイッチの繰り返し移動だけに基づいて、前記変更部は、前記第１位置に割り当てられた前記点灯時間と、前記第２位置に割り当てられた前記点灯時間との少なくとも１つを変更する、請求項１または請求項２に記載の照明制御装置。
【請求項４】
前記変更部が前記第１位置に割り当てられた前記点灯時間と前記第２位置に割り当てられた前記点灯時間との少なくとも１つを変更した後に、前記第１位置と前記第２位置との間の前記スイッチの繰り返し移動に応じて、前記変更部は、前記第１位置に割り当てられた前記点灯時間と、前記第２位置に割り当てられた前記点灯時間との少なくとも１つをさらに変更する、請求項１から請求項３のいずれか１項に記載の照明制御装置。
【請求項５】
操作部をさらに備え、
前記操作部は、前記検知部の特定の機能を有効にするか否かを決定するための閾値を、前記操作部の操作位置に応じて変化させ、
前記変更部は、前記操作部の操作位置が所定の操作位置に位置するときに、前記第１位置と前記第２位置との間の前記スイッチの繰り返し移動に応じて、前記第１位置に割り当てられた前記点灯時間と、前記第２位置に割り当てられた前記点灯時間との少なくとも１つを変更する、請求項１から請求項４のいずれか１項に記載の照明制御装置。
【請求項６】
所定時間内の前記第１位置と前記第２位置との間の前記スイッチの所定回数以上の繰り返し移動に応じて、前記変更部は、前記第１位置に割り当てられた前記点灯時間と、前記第２位置に割り当てられた前記点灯時間との少なくとも１つを変更する、請求項１から請求項５のいずれか１項に記載の照明制御装置。
【請求項７】
請求項１から請求項６のいずれか１項に記載の照明制御装置と、
前記光源と
を備える照明器具。
【発明の詳細な説明】
【技術分野】
【０００１】
本発明は、照明制御装置及び照明器具に関する。
【背景技術】
【０００２】
従来、人感センサー又は照度センサーのようなセンサーが周囲環境の変化を検知したことに応じて、照明負荷に電流が流れる照明装置があった。しかしながら、予め設定された時間にわたって照明負荷に電流が流れるため、ユーザーが所望する時間にわたって照明負荷に電流を流すことができなかった。
【０００３】
そこで、特許文献１に記載された熱線センサー付自動スイッチは、制御部と第１操作スイッチとを備える。熱線センサー付自動スイッチは、照明負荷の点灯／消灯を制御する。制御部は、所定の点灯保持時間の間、照明負荷の点灯状態を維持する。制御部は、第１操作スイッチの操作時間が予め設定した設定時間よりも長い長押しの場合、点灯保持時間を短縮させる。
【先行技術文献】
【特許文献】
【０００４】
【特許文献１】特開２０１５−１７３０７６号公報
【発明の概要】
【発明が解決しようとする課題】
【０００５】
しかしながら、特許文献１に記載された熱線センサー付自動スイッチでは、単に第１操作スイッチを長押しするだけで点灯保持時間が短縮される。従って、第１操作スイッチを誤操作する可能性があった。
【０００６】
本発明は上記課題に鑑みてなされたものであり、その目的は、点灯時間を変更するときの誤操作を抑制する照明制御装置及び照明器具を提供することにある。
【課題を解決するための手段】
【０００７】
本願に開示する照明制御装置は、スイッチと、変更部と、点灯制御部とを備える。前記スイッチは、複数の位置に移動させられることが可能である。前記スイッチは、光源の点灯時間が割り当てられた第１位置と、前記第１位置に割り当てられた前記点灯時間と異なる点灯時間が割り当てられた第２位置との間を移動させられることが可能である。前記変更部は、前記スイッチが前記第１位置と前記第２位置との間を繰り返し移動させられることに応じて、前記第１位置に割り当てられた前記点灯時間と、前記第２位置に割り当てられた前記点灯時間との少なくとも１つを変更する。前記点灯制御部は、前記光源の周囲環境の変化を検知する検知部の検知結果に応じて、前記光源を制御する。前記検知部の検知結果に応じて、前記点灯制御部は、前記スイッチが前記第１位置に位置する場合、前記第１位置に割り当てられた前記点灯時間にわたって所定点灯状態で点灯するように、前記光源を制御する。前記検知部の検知結果に応じて、前記点灯制御部は、前記スイッチが前記第２位置に位置する場合、前記第２位置に割り当てられた前記点灯時間にわたって前記所定点灯状態で点灯するように、前記光源を制御する。
【０００８】
本願に開示する照明制御装置は、報知部をさらに備えることが好ましい。前記報知部は、前記変更部が、前記第１位置に割り当てられた前記点灯時間と、前記第２位置に割り当てられた前記点灯時間との少なくとも１つを変更したことを報知することが好ましい。
【０００９】
本願に開示する照明制御装置において、前記スイッチは、前記第１位置と前記第２位置と第３位置とに位置することが可能であることが好ましい。前記第２位置は、前記第１位置と前記第３位置との間に位置することが好ましい。前記スイッチが前記第３位置に位置する場合、前記点灯制御部は、前記検知部の検知結果に応じて、前記第３位置に割り当てられた点灯時間にわたって前記所定点灯状態で点灯するように前記光源を制御することが好ましい。前記第１位置と前記第２位置との間の前記スイッチの繰り返し移動だけに基づいて、前記変更部は、前記第１位置に割り当てられた前記点灯時間と、前記第２位置に割り当てられた前記点灯時間との少なくとも１つを変更することが好ましい。
【００１０】
本願に開示する照明制御装置において、前記変更部が前記第１位置に割り当てられた前記点灯時間と前記第２位置に割り当てられた前記点灯時間との少なくとも１つを変更した後に、前記第１位置と前記第２位置との間の前記スイッチの繰り返し移動に応じて、前記変更部は、前記第１位置に割り当てられた前記点灯時間と、前記第２位置に割り当てられた前記点灯時間との少なくとも１つをさらに変更することが好ましい。
【００１１】
本願に開示する照明制御装置は、操作部をさらに備えることが好ましい。前記操作部は、前記検知部の特定の機能を有効にするか否かを決定するための閾値を、前記操作部の操作位置に応じて変化させることが好ましい。前記変更部は、前記操作部の操作位置が所定の操作位置に位置するときに、前記第１位置と前記第２位置との間の前記スイッチの繰り返し移動に応じて、前記第１位置に割り当てられた前記点灯時間と、前記第２位置に割り当てられた前記点灯時間との少なくとも１つを変更することが好ましい。
【００１２】
本願に開示する照明制御装置において、所定時間内の前記第１位置と前記第２位置との間の前記スイッチの所定回数以上の繰り返し移動に応じて、前記変更部は、前記第１位置に割り当てられた前記点灯時間と、前記第２位置に割り当てられた前記点灯時間との少なくとも１つを変更することが好ましい。
【００１３】
本願に開示する照明器具は、上記照明制御装置と、上記光源とを備える。
【発明の効果】
【００１４】
本発明によれば、点灯時間を変更するときの誤操作を抑制することが可能である。
【図面の簡単な説明】
【００１５】
【図１】本発明の実施形態に係る照明器具を示す図である。
【図２】（ａ）本発明の実施形態に係る照明器具を示す斜視図である。（ｂ）本発明の実施形態に係る照明器具を示す平面図である。
【図３】図２（ｂ）のＩＩＩ−ＩＩＩ線に沿った断面図である。
【図４】実施形態に係る照明制御装置を示す図である。
【図５】（ａ）は、実施形態に係るスイッチが第１位置に位置する状態を示す図である。（ｂ）は、実施形態に係るスイッチが第２位置に位置する状態を示す図である。（ｃ）は、実施形態に係るスイッチが第３位置に位置する状態を示す図である。
【図６】実施形態に係るスイッチの移動の経過を示す図である。
【図７】実施形態に係る照明制御装置が実行する処理を示すフローチャートである。
【発明を実施するための形態】
【００１６】
以下、本発明の実施形態について、図面を参照しながら説明する。なお、図中、同一または相当部分については同一の参照符号を付して説明を繰り返さない。
【００１７】
図１〜図３を参照して、本発明の実施形態に係る照明器具１００について説明する。図１は、照明器具１００を示す図である。図１に示すように、照明器具１００は、照明制御装置１と、照明器具本体１００ａとを備える。照明器具本体１００ａは、点灯装置２と、光源３とを含む。照明制御装置１と照明器具本体１００ａとは接続されている。具体的には、照明制御装置１と点灯装置２とは、接続されている。点灯装置２と光源３とは、接続されている。照明制御装置１は、制御部１０と、検知部２０と、スイッチ３０と、操作部４０と、電源５０とを備える。
【００１８】
図２（ａ）は、照明器具１００を示す斜視図である。図２（ｂ）は、照明器具１００を示す平面図である。図２（ａ）及び図２（ｂ）に示すように、本実施形態において、照明制御装置１は、照明器具本体１００ａと一体で構成される。すなわち、照明制御装置１は、点灯装置２及び光源３と一体で構成される。本実施形態において照明器具１００は、例えば、天井のような天壁または側壁に取り付けられる。本実施形態において、照明器具１００は、例えば、シーリングライトである。照明器具本体１００ａは、例えば略円柱形状を有する。照明器具本体１００ａは、筐体１０１と、カバー１０２とを備える。
【００１９】
図３は、図２（ｂ）のＩＩＩ−ＩＩＩ線に沿った断面図である。図３に示すように、照明器具本体１００ａは、支持板１０３をさらに備える。照明器具本体１００ａは、基板１０４、点灯装置２及び光源３を収容する。照明制御装置１は、筐体１０１に取り付けられている。
【００２０】
光源３は、基板３１及び複数の発光素子３２を含む。基板３１は、支持板１０３に取り付けられている。複数の発光素子３２は、基板３１に実装されている。複数の発光素子３２は、例えば、ＬＥＤ（Ｌｉｇｈｔ  Ｅｍｉｔｔｉｎｇ  Ｄｉｏｄｅ）である。また、図面には表れていないが、基板１０４には、例えば、制御部１０及び点灯装置２が実装されている。
【００２１】
次に、図１〜図６を参照して、本発明の実施形態に係る照明制御装置１について説明する。照明制御装置１は、点灯装置２を介して光源３を制御する。具体的には、照明制御装置１の制御部１０に含まれる点灯制御部１２は、点灯装置２を介して、光源３を制御する。その結果、点灯装置２は光源３を点灯させる。制御部１０及び点灯制御部１２については後述する。
【００２２】
点灯装置２は、照明制御装置１による制御を受けて動作する。具体的には、点灯装置２は、交流電源電圧を直流電源電圧に変換して、直流電源電圧に基づいて、直流電流を生成する。そして、点灯装置２は、直流電流を光源３に供給する。その結果、光源３が点灯する。
【００２３】
図４は、照明制御装置１を示す。検知部２０は、照明制御装置１の周囲環境の変化を検知する。検知部２０は、例えば、周囲環境の変化として、照明制御装置１の周囲に人が位置したことを検知する。また、検知部２０は、例えば、周囲環境の変化として、照明制御装置１の周囲の明るさが変化したことを検知する。検知部２０は、例えば、人感センサー２１及び照度センサー２２を含む。人感センサー２１は、例えば、人又は動物などが放射する赤外線を検知する赤外線センサーである。また、人感センサー２１は、例えば、人又は動物などを撮影するカメラである。照度センサー２２は、周囲環境の明るさを検知する。例えば、人感センサー２１は、照明制御装置１が設置された室内に入室したユーザーを検知する。
【００２４】
ユーザーは、スイッチ３０を複数の位置に移動させることが可能である。例えば、スイッチ３０は、第１位置Ｐ１と第２位置Ｐ２と第３位置Ｐ３とに位置することが可能である。スイッチ３０は、外部からの力を受けて、第１位置Ｐ１と第２位置Ｐ２との間、及び、第２位置Ｐ２と第３位置Ｐ３との間を移動する。すなわち、ユーザーは、スイッチ３０を第１位置Ｐ１と第２位置Ｐ２との間、及び、第２位置Ｐ２と第３位置Ｐ３との間を移動させることが可能である。本実施形態において、第１位置Ｐ１は、第２位置Ｐ２及び第３位置Ｐ３よりも検知部２０から離れている。第２位置Ｐ２は、第１位置Ｐ１と第３位置Ｐ３との間に位置する。なお、第１位置Ｐ１と第２位置Ｐ２と第３位置Ｐ３との位置関係については、特に限定されない。例えば、第１位置Ｐ１は、第２位置Ｐ２及び第３位置Ｐ３よりも検知部２０の近くに位置していてもよい。
【００２５】
第１位置Ｐ１には、光源３の点灯時間が割り当てられている。また、第２位置Ｐ２には、第１位置Ｐ１に割り当てられた点灯時間と異なる点灯時間が割り当てられている。点灯時間とは、検知部２０が光源３の周囲環境の変化を検知して光源３の点灯を開始させてから、光源３の点灯を終了させるまでの時間である。さらに、第３位置Ｐ３には、第１位置Ｐ１及び第２位置Ｐ２の各々に割り当てられた点灯時間と異なる点灯時間が割り当てられている。本実施形態において、第１位置Ｐ１には、光源３の点灯時間として、１分が割り当てられている。第２位置Ｐ２には、光源３の点灯時間として、５分が割り当てられている。第３位置Ｐ３には、光源３の点灯時間として、制限の無い時間（無期限の期間）が割り当てられている。ユーザーは、スイッチ３０を操作することによって、光源３の点灯時間を切り替えることができる。すなわち、スイッチ３０は、ユーザーの操作に応じて、操作情報を制御部１０に出力する。操作情報は、光源３の点灯時間を示している。
【００２６】
操作部４０は、例えば、つまみ（ボリューム）、複数個の押しボタン、又は、タッチパネルである。本実施形態において、操作部４０は、つまみである。操作部４０の操作位置に応じて、検知部２０の特定の機能を有効にするか否かを決定するための閾値が変化する。具体的には、例えば、操作部４０の操作位置に応じて、検知部２０の特定の機能を有効にするか否かを制御部１０が決定するための閾値が変化する。ユーザーは、操作部４０を操作することによって、検知部２０の特定の機能を有効にするか否かを決定するための閾値を変化させることができる。検知部２０の特定の機能は、例えば、人感センサー２１が人又は動物などが放射する赤外線を検知する機能のことである。例えば、光源３の周囲環境の明るさが閾値以下である場合に、検知部２０は、光源３の周囲環境の変化を検知する。
【００２７】
本実施形態において、操作部４０の操作位置が「明」に近づくほど、閾値は大きくなり、操作部４０の操作位置が「暗」に近づくほど、閾値は小さくなる。例えば、操作部４０の操作位置が「明」を指す場合、夕方のように光源３の周囲環境が明るい状態であっても、検知部２０は、特定の機能を有効にして、光源３の周囲環境の変化を検知する。また、操作部４０の操作位置が「暗」を指す場合、夜間のように光源３の周囲環境が暗い状態で、検知部２０は、特定の機能を有効にして、光源３の周囲環境の変化を検知する。具体的には、操作部４０の操作位置が「明」を指す場合、夕方のように光源３の周囲環境が明るい状態であっても、検知部２０は、光源３の周囲環境で赤外線を検知する。また、例えば、操作部４０の操作位置が移動端である場合に、検知部２０は、光源３の周囲環境の明るさに因らず、光源３の周囲環境の変化を検知する。本実施形態において、操作部４０の移動端は、左端である。
【００２８】
電源５０は、交流電源電圧を直流電源電圧に変換して制御部１０に供給する。制御部１０は、例えば、マイクロコンピューターである。制御部１０は、ＣＰＵ（Ｃｅｎｔｒａｌ  Ｐｒｏｃｅｓｓｉｎｇ  Ｕｎｉｔ）、又はＭＰＵ（Ｍｉｃｒｏ  Ｐｒｏｃｅｓｓｉｎｇ  Ｕｎｉｔ）のようなプロセッサ、及びメモリを含む。制御部１０は、メモリに記憶されたコンピュータープログラムを実行することにより、変更部１１、点灯制御部１２、及び報知部１３として機能する。つまり、制御部１０は、変更部１１、点灯制御部１２、及び報知部１３を含む。変更部１１及び報知部１３については後述する。
【００２９】
点灯制御部１２は、検知部２０の検知結果に応じて、光源３を制御する。具体的には、点灯制御部１２は、検知部２０の検知結果に応じて、スイッチ３０の位置に割り当てられた点灯時間にわたって第１点灯状態で点灯するように、光源３を制御する。第１点灯状態は、光源３から第１所定光量が発生する状態を示す。本明細書において、第１点灯状態は、「所定点灯状態」の一例である。
【００３０】
例えば、図４に示すように、スイッチ３０は、第１位置Ｐ１に位置する。そして、操作部４０の操作位置は、「明」を指している。従って、光源３の周囲環境の明るさが「明」に対応する操作位置に応じた閾値以下である場合に、点灯制御部１２は、検知部２０の検知結果に応じて、１分間にわたって第１点灯状態で点灯するように、光源３を制御する。すなわち、点灯制御部１２は、光源３の周囲環境の明るさが「明」に対応する操作位置に応じ閾値以下である場合に、照明制御装置１が設置された室内に入室したユーザーを検知部２０が検知することに応じて、１分間にわたって第１所定光量を発生させるように、光源３を制御する。その結果、光源３は、１分間にわたって第１点灯状態で点灯する。
【００３１】
第１点灯状態で点灯する前の光源３の状態は、第２点灯状態である。第２点灯状態は、消灯状態であってもよいし、光源３から第２所定光量が発生する状態であってもよい。第２所定光量は、第１所定光量よりも少なくてもよいし、第１所定光量よりも多くてもよい。
【００３２】
次に、図１、図５及び図６を参照して、変更部１１について説明する。図５（ａ）は、スイッチ３０が第１位置Ｐ１に位置する状態を示す図である。図５（ｂ）は、スイッチ３０が第２位置Ｐ２に位置する状態を示す図である。図５（ｃ）は、スイッチ３０が第３位置Ｐ３に位置する状態を示す図である。
【００３３】
変更部１１は、操作部４０が所定の操作位置に位置するときに、スイッチ３０が所定時間内に第１位置Ｐ１と第２位置Ｐ２との間を所定回数以上繰り返し移動させられることに応じて、第１位置Ｐ１に割り当てられた点灯時間と、第２位置Ｐ２に割り当てられた点灯時間との少なくとも１つを変更する。特に、実施形態では、変更部１１は、スイッチ３０が第１位置Ｐ１と第２位置Ｐ２との間を繰り返し移動させられることに応じて、第１位置Ｐ１に割り当てられた点灯時間と、第２位置Ｐ２に割り当てられた点灯時間との少なくとも１つを変更する。従って、光源３の点灯時間を変更するときの誤操作を抑制できる。具体的には、スイッチ３０を長押しする場合と比較して、光源３の点灯時間を変更するときの誤操作を抑制できる。
【００３４】
また、変更部１１は、操作部４０が所定の操作位置に位置するときに、第１位置Ｐ１と第２位置Ｐ２との間のスイッチ３０の繰り返し移動に応じて、第１位置Ｐ１に割り当てられた点灯時間と、第２位置Ｐ２に割り当てられた点灯時間との少なくとも１つを変更する。すなわち、光源３の点灯時間が変更されるときに、操作部４０の操作位置が指定される。従って、光源３の点灯時間を変更するときの誤操作をさらに抑制できる。操作部４０の所定の操作位置は、例えば、操作部４０の移動端である。
【００３５】
さらに、変更部１１は、所定時間内の第１位置Ｐ１と第２位置Ｐ２との間の所定回数以上のスイッチ３０の繰り返し移動に応じて、第１位置Ｐ１に割り当てられた点灯時間と、第２位置Ｐ２に割り当てられた点灯時間との少なくとも１つを変更する。すなわち、スイッチ３０が所定時間内に所定回数以上繰り返し移動させられる場合にだけ、光源３の点灯時間が変更される。従って、光源３の点灯時間を変更するときの誤操作をさらに抑制できる。
【００３６】
以下、変更部１１が第１位置Ｐ１に割り当てられた点灯時間と、第２位置Ｐ２に割り当てられた点灯時間との少なくとも１つを変更することについて照明制御装置１の第１モード及び第２モードを例に挙げて具体的に説明する。照明制御装置１は、デフォルトでは、第１モードに設定されている。変更部１１は、操作部４０が所定の操作位置に位置するときに、所定時間内の第１位置Ｐ１と第２位置Ｐ２との間のスイッチ３０の所定回数以上の繰り返し移動に応じて、照明制御装置１のモードを変更する。例えば、変更部１１は、操作部４０が所定の操作位置に位置するときに、所定時間内の第１位置Ｐ１と第２位置Ｐ２との間のスイッチ３０の所定回数以上の繰り返し移動に応じて、照明制御装置１を第１モードから第２モードへ変更する。
【００３７】
第１モードでは、第１位置Ｐ１に割り当てられた点灯時間と第２位置Ｐ２に割り当てられた点灯時間とが設定されている。また、第２モードでは、第１位置Ｐ１に割り当てられた点灯時間と第２位置Ｐ２に割り当てられた点灯時間とが設定されている。本実施形態では、例えば、第１モードで設定された第１位置Ｐ１に割り当てられた点灯時間及び第２モードで設定された第１位置Ｐ１に割り当てられた点灯時間が異なる。また、例えば、第１モードで設定された第２位置Ｐ２に割り当てられた点灯時間及び第２モードで設定された第２位置Ｐ２に割り当てられた点灯時間が異なる。すなわち、変更部１１が、第１位置Ｐ１に割り当てられた点灯時間と、第２位置Ｐ２に割り当てられた点灯時間との少なくとも１つを変更することは、照明制御装置１のモードを変更することに相当する。
【００３８】
なお、第１モードで設定された第１位置Ｐ１に割り当てられた点灯時間及び第２モードで設定された第１位置Ｐ１に割り当てられた点灯時間が同じであって、第１モードで設定された第２位置Ｐ２に割り当てられた点灯時間及び第２モードで設定された第２位置Ｐ２に割り当てられた点灯時間が異なっていてもよい。また、第１モードで設定された第１位置Ｐ１に割り当てられた点灯時間及び第２モードで設定された第１位置Ｐ１に割り当てられた点灯時間が異なっており、第１モードで設定された第２位置Ｐ２に割り当てられた点灯時間及び第２モードで設定された第２位置Ｐ２に割り当てられた点灯時間が同じであってもよい。
【００３９】
本実施形態において、第１モードでは、例えば、第１位置Ｐ１に割り当てられた点灯時間は１分であり、第２位置Ｐ２に割り当てられた点灯時間は５分である。また、第２モードでは、例えば、第１位置Ｐ１に割り当てられた点灯時間は３分であり、第２位置Ｐ２に割り当てられた点灯時間は８分である。第１モードで第１位置Ｐ１及び第２位置Ｐ２の各々に割り当てられた時間と、第２モードで第１位置Ｐ１及び第２位置Ｐ２の各々に割り当てられた時間とは、ユーザーが任意に設定できる。
【００４０】
照明制御装置１が第２モードである場合に、第１位置Ｐ１と第２位置Ｐ２との間のスイッチ３０の繰り返し移動に応じて、変更部１１は、照明制御装置１を第２モードから第３モードに変更してもよいし、照明制御装置１を第２モードから第１モードに戻してもよい。すなわち、変更部１１が第１位置Ｐ１に割り当てられた点灯時間と第２位置Ｐ２に割り当てられた点灯時間との少なくとも１つを変更した後に、第１位置Ｐ１と第２位置Ｐ２との間のスイッチ３０の繰り返し移動に応じて、変更部１１は、第１位置Ｐ１に割り当てられた点灯時間と、第２位置Ｐ２に割り当てられた点灯時間との少なくとも１つをさらに変更する。従って、簡易な操作で第１位置Ｐ１に割り当てられた点灯時間と、第２位置Ｐ２に割り当てられた点灯時間とを変更することができる。その結果、ユーザーの利便性が向上する。
【００４１】
第３モードでは、第１位置Ｐ１に割り当てられた点灯時間と第２位置Ｐ２に割り当てられた点灯時間とが設定されている。本実施形態では、例えば、第２モードで設定された第１位置Ｐ１に割り当てられた点灯時間及び第３モードで設定された第１位置Ｐ１に割り当てられた点灯時間が異なる。また、例えば、第２モードで設定された第２位置Ｐ２に割り当てられた点灯時間及び第３モードで設定された第２位置Ｐ２に割り当てられた点灯時間が異なる。なお、第２モードで設定された第１位置Ｐ１に割り当てられた点灯時間及び第３モードで設定された第１位置Ｐ１に割り当てられた点灯時間が同じであって、第２モードで設定された第２位置Ｐ２に割り当てられた点灯時間及び第３モードで設定された第２位置Ｐ２に割り当てられた点灯時間が異なっていてもよい。また、第２モードで設定された第２位置Ｐ２に割り当てられた点灯時間及び第３モードで設定された第２位置Ｐ２に割り当てられた点灯時間が異なっており、第２モードで設定された第２位置Ｐ２に割り当てられた点灯時間及び第３モードで設定された第２位置Ｐ２に割り当てられた点灯時間が同じであってもよい。
【００４２】
照明制御装置１が第３モードである場合に、第１位置Ｐ１と第２位置Ｐ２との間のスイッチ３０の繰り返し移動に応じて、変更部１１は、照明制御装置１を第４モードに変更してもよいし、第１モードに戻してもよい。第３モードで第１位置Ｐ１及び第２位置Ｐ２の各々に割り当てられた時間と、第４モードで第１位置Ｐ１及び第２位置Ｐ２の各々に割り当てられた時間とは、ユーザーが任意に設定できる。
【００４３】
照明器具１００は、照明器具１００への交流電源電圧の供給又は供給の停止を切り替えるスイッチ（不図示）を備える。このスイッチは、例えば、居室の壁に設置される壁スイッチである。壁スイッチがオフにされて照明器具１００への交流電源電圧の供給が停止されると、照明制御装置１は、デフォルトの設定に戻る。すなわち、照明制御装置１は、照明器具１００への交流電源電圧の供給が停止されると、第１モードに変更される。ただし、照明制御装置１の制御部１０のメモリが、照明制御装置１の最新の設定を記憶していてもよい。この場合、壁スイッチがオンにされて、照明器具１００への交流電源電圧の供給が開始されると、照明制御装置１の制御部１０のメモリは、照明制御装置１の最新の設定を読み出す。そして、変更部１１は、照明制御装置１を最新の設定に変更する。すなわち、照明制御装置１の最新の設定が第２モードである場合、壁スイッチがオンにされて、照明器具１００への交流電源電圧の供給が開始されると、変更部１１は、照明制御装置１を第２モードに変更する。
【００４４】
図６は、スイッチ３０の移動の経過を示す図である。図６に示すように、スイッチ３０が第１位置Ｐ１から第２位置Ｐ２に移動すること、又はスイッチ３０が第２位置Ｐ２から第１位置Ｐ１に移動することは、スイッチ３０の１回の移動に相当する。すなわち、スイッチ３０が第１位置Ｐ１と第２位置Ｐ２との間を繰り返し移動することは、スイッチ３０が第１位置Ｐ１と第２位置Ｐ２との間を２回以上移動することに相当する。
【００４５】
また、スイッチ３０が第１位置Ｐ１と第２位置Ｐ２との間を繰り返し移動することは、スイッチ３０が第１位置Ｐ１から第２位置Ｐ２に移動し、第２位置Ｐ２から第１位置Ｐ１に移動すること、及び、スイッチ３０が第２位置Ｐ２から第１位置Ｐ１に移動し、第１位置Ｐ１から第２位置Ｐ２に移動することを含む。すなわち、スイッチ３０が第１位置Ｐ１と第２位置Ｐ２との間を繰り返し移動することは、スイッチ３０が第１位置Ｐ１と第２位置Ｐ２との間を往復移動することを含む。
【００４６】
スイッチ３０が第１位置Ｐ１と第２位置Ｐ２との間を繰り返し移動することだけに基づいて、変更部１１は、第１位置Ｐ１に割り当てられた点灯時間と、第２位置Ｐ２に割り当てられた点灯時間との少なくとも１つを変更する。すなわち、図６に示すように、スイッチ３０の４回目の移動では、スイッチ３０の１回の移動として、スイッチ３０は、第２位置Ｐ２から第３位置Ｐ３に移動し、第３位置Ｐ３から第２位置Ｐ２に移動し、第２位置Ｐ２から第１位置Ｐ１に移動している。従って、スイッチ３０が第１位置Ｐ１と第２位置Ｐ２との間を繰り返し移動する間にスイッチ３０が第３位置Ｐ３に位置する場合であっても、変更部１１は、照明制御装置１のモードを変更する。例えば、スイッチ３０が第１位置Ｐ１と第２位置Ｐ２との間を繰り返し移動する間に、誤ってスイッチ３０が第３位置Ｐ３まで移動する場合であっても、スイッチ３０が第３位置Ｐ３に位置することが無視される。その結果、光源３の点灯時間を変更するときに誤ってスイッチ３０を第３位置Ｐ３まで移動させた場合であっても、ユーザーは、スイッチ３０の操作をやり直す必要がないため、利便性が向上する。
【００４７】
次に、変更部１１が照明制御装置１のモードを変更するときの操作部４の所定の操作位置について説明する。変更部１１は、操作部４０が所定の操作位置に位置するときに、第１位置Ｐ１と第２位置Ｐ２との間のスイッチ３０の繰り返し移動に応じて、照明制御装置１のモードを変更する。
【００４８】
本実施形態において、操作部４０の所定の操作位置は、例えば左端である。すなわち、ユーザーが照明制御装置１を見たときに、操作部４０の操作位置が左端である場合に、第１位置Ｐ１と第２位置Ｐ２との間のスイッチ３０の繰り返し移動に応じて、変更部１１は、照明制御装置１のモードを変更する。また、ユーザーが照明制御装置１を見たときに、検知部２０は、照明制御装置１の右側に配置され、スイッチ３０及び操作部４０の各々は、照明制御装置１の左側に配置されている。つまり、スイッチ３０と操作部４０との双方は、左を起点として操作を開始されるように構成されている。従って、ユーザーがスイッチ３０及び操作部４０を操作するときに、検知部２０が邪魔になることを抑制できる。その結果、スイッチ３０及び操作部４０の操作に統一性が生じさせつつ、スイッチ３０及び操作部４０の操作性を向上できる。なお、所定の操作位置は特に限定されない。また、検知部２０、スイッチ３０及び操作部４０の各々の配置は、特に限定されない。なお、操作部４０の所定の操作位置は、例えば、操作部４０の操作端であってもよいし、右端であってもよいし、「明」を指す位置であってもよい。
【００４９】
次に、変更部１１が照明制御装置１のモードを変更するときの所定時間及び所定回数について説明する。変更部１１は、所定時間内の第１位置Ｐ１と第２位置Ｐ２との間の所定回数以上のスイッチ３０の繰り返し移動に応じて、照明制御装置１のモードを変更する。
【００５０】
本実施形態において、所定時間は１０秒である。また、所定回数は８回である。図６に示すように、スイッチ３０は、１０秒以内に第１位置Ｐ１と第２位置Ｐ２との間を８回繰り返し移動している。従って、変更部１１は、照明制御装置１のモードを変更する。
【００５１】
次に、報知部１３について説明する。報知部１３は、変更部１１が第１位置Ｐ１に割り当てられた点灯時間と、第２位置Ｐ２に割り当てられた点灯時間との少なくとも１つを変更したことを報知する。すなわち、報知部１３は、変更部１１が照明制御装置１のモードを変更したことを報知する。具体的には、変更部１１が第１位置Ｐ１に割り当てられた点灯時間と、第２位置Ｐ２に割り当てられた点灯時間との少なくとも１つを変更したことに応じて、報知部１３は、点灯制御部１２及び点灯装置２を介して、フラッシュ点灯するように光源３を制御する。その結果、報知部１３は、光源３を介して、変更部１１が照明制御装置１のモードを変更したことを報知する。従って、ユーザーにとって、第１位置Ｐ１に割り当てられた点灯時間と、第２位置Ｐ２に割り当てられた点灯時間との少なくとも１つが変更されたことを認識しやすい。
【００５２】
また、変更部１１が照明制御装置１のモードを変更したことに応じて、報知部１３は、音声を出力するように、ブザー（不図示）を制御してもよい。ブザーは、例えば、照明器具１００に含まれる、その結果、報知部１３は、ブザーを介して、変更部１１が照明制御装置１のモードを変更したことを報知する。
【００５３】
さらに、変更部１１が照明制御装置１のモードを変更したことに応じて、報知部１３は、点灯又は点滅するように、ＬＥＤインジケーター（不図示）を制御してもよい。ＬＥＤインジケーターは、例えば、照明器具１００に含まれる。ＬＥＤインジケーターは、例えば、０．５秒間隔で３回点滅する。その結果、報知部１３は、ＬＥＤインジケーターを介して、変更部１１が照明制御装置１のモードを変更したことを報知する。
【００５４】
次に、図１〜図７を参照して、照明制御装置１の処理を説明する。図７は、照明制御装置１の処理を示すフローチャートである。図７に示すように、照明制御装置１の処理は、ステップＳ１０〜ステップＳ７０を含む。
【００５５】
ステップＳ１０において、制御部１０は、操作部４０の操作位置を検出する。ステップＳ２０において、制御部１０は、ステップＳ１０で検出した操作部４０の操作位置が所定の操作位置に位置するか否かを判定する。ステップＳ２０で肯定的判定（ＹＥＳ）がされる場合、処理はステップＳ２５に進む。例えば、操作部４０の操作位置が左端である場合、処理はステップＳ２５に進む。
【００５６】
ステップＳ２５において、制御部１０は、スイッチ３０の位置を検出する。ステップＳ３０において、制御部１０は、ステップＳ２５で検出したスイッチ３０の位置を示す情報が、スイッチ３０が所定時間内に第１位置Ｐ１と第２位置Ｐ２との間を所定回数以上繰り返し移動したことを示すか否かを判定する。すなわち、制御部１０は、スイッチ３０が所定時間内に第１位置Ｐ１と第２位置Ｐ２との間を所定回数以上繰り返し移動したか否かを判定する。ステップＳ３０で肯定的判定（ＹＥＳ）がされる場合、処理はステップＳ４０に進む。一方、ステップＳ３０で否定的判定（ＮＯ）がされる場合、処理はステップＳ５５に進む。
【００５７】
ステップＳ４０において、変更部１１は、第１位置Ｐ１に割り当てられた点灯時間と、第２位置Ｐ２に割り当てられた点灯時間との少なくとも１つを変更する。すなわち、変更部１１は、照明制御装置１のモードを変更する。なお、ステップＳ４０において照明制御装置１が第１モードである場合、変更部１１は、照明制御装置１を第１モードから第２モードへ変更してもよいし、第１モードから第３モードへ変更してもよい。また、ステップＳ４０において照明制御装置１が第２モードである場合、変更部１１は、照明制御装置１を第２モードから第３モードへ変更してもよいし、第２モードから第１モードへ変更してもよい。
【００５８】
ステップＳ５０において、報知部１３は、第１位置Ｐ１に割り当てられた点灯時間と、第２位置Ｐ２に割り当てられた点灯時間との少なくとも１つが変更されたことを報知する。すなわち、報知部１３は、照明制御装置１のモードが変更されたことを報知する。そして、処理はステップＳ１０に戻る。
【００５９】
ステップＳ２０で否定的判定（ＮＯ）がされる場合、処理はステップＳ５３に進む。ステップＳ５３において、制御部１０は、照度センサー２２に光源３の周囲環境の明るさを検知させて、光源３の周囲環境の明るさが閾値以下であるか否かを判定することによって、検知部２０の特定の機能を有効にするか否かを決定する。ステップＳ５３において、否定的判定（ＮＯ）がされる場合、すなわち、光源３の周囲環境の明るさが閾値より高い場合、処理はステップＳ１０に戻る。一方、ステップＳ５３において、肯定的判定（ＹＥＳ）がされる場合、すなわち、光源３の周囲環境の明るさが閾値以下である場合、検知部２０の特定の機能を有効にするように決定して、処理はステップＳ５５に進む。
【００６０】
ステップＳ５５において、制御部１０は、検知部２０の特定の機能を有効にする。具体的には、制御部１０は、人感センサー２１が赤外線を検知する機能を有効にする。ステップＳ６０において、制御部１０は、検知部２０の検知結果を取得する。ステップＳ７０において、点灯制御部１２は、検知部２０の検知結果に基づいて、第１点灯状態で点灯するように光源３を制御する。具体的には、点灯制御部１２は、検知部２０の人感センサー２１が赤外線を検知したことに基づいて、第１点灯状態で点灯するように光源３を制御する。
【００６１】
以上、図面を参照しながら本発明の実施形態について説明した。但し、本発明は、上記の実施形態に限られるものではなく、その要旨を逸脱しない範囲で種々の態様において実施することが可能である（例えば、下記に示す（１）〜（６））。また、上記の実施形態に開示されている複数の構成要素を適宜組み合わせることによって、種々の発明の形成が可能である。例えば、実施形態に示される全構成要素から幾つかの構成要素を削除してもよい。さらに、異なる実施形態にわたる構成要素を適宜組み合わせてもよい。図面は、理解しやすくするために、それぞれの構成要素を主体に模式的に示しており、図示された各構成要素の厚み、長さ、個数、間隔等は、図面作成の都合上から実際とは異なる場合もある。また、上記の実施形態で示す各構成要素の材質、形状、寸法等は一例であって、特に限定されるものではなく、本発明の効果から実質的に逸脱しない範囲で種々の変更が可能である。
【００６２】
（１）図４を参照して説明したように、スイッチ３０は、第１位置Ｐ１と第２位置Ｐ２と第３位置Ｐ３とに位置することが可能であった。ただし、スイッチ３０が第１位置Ｐ１と第２位置Ｐ２とに位置することができる限り、スイッチ３０は、第１位置Ｐ１と第２位置Ｐ２とにだけ位置することが可能であってもよい。また、スイッチ３０は、４以上の位置に位置することが可能であってもよい。
【００６３】
（２）図４を参照して説明したように、スイッチ３０が位置することの可能な第３位置Ｐ３には、光源３の点灯時間として、制限の無い時間（無期限の期間）が割り当てられていた。ただし、第３位置Ｐ３には、制限のある時間が割り当てられていてもよい。
【００６４】
（３）図１〜図６を参照して説明したように、第１位置Ｐ１と第２位置Ｐ２との間のスイッチ３０の繰り返し移動に応じて、第１位置Ｐ１に割り当てられた点灯時間と、第２位置Ｐ２に割り当てられた点灯時間との少なくとも１つが変更された。ただし、第１位置Ｐ１に割り当てられた点灯時間と、第２位置Ｐ２に割り当てられた点灯時間との少なくとも１つが変更される限り、第１位置Ｐ１と第２位置Ｐ２との間のスイッチ３０の繰り返し移動に応じて、第３位置Ｐ３に割り当てられた点灯時間が変更されてもよい。
【００６５】
（４）図１を参照して説明したように、照明制御装置１は、照明器具本体１００ａと一体で構成された。ただし、照明制御装置１が照明器具本体１００ａを制御する限り、照明制御装置１は、照明器具本体１００ａと別体で構成されてもよい。例えば、照明制御装置１が居室の壁に設置され、照明器具本体１００ａが居室の天井に設置されてもよい。照明制御装置１と照明器具本体１００ａと別体で構成されている場合、検知部２０は、照明制御装置１に備えられていてもよいし、照明器具本体１００ａに備えられていてもよい。
【００６６】
（５）図６を参照して説明したように、変更部１１は、所定時間内の第１位置Ｐ１と第２位置Ｐ２との間の所定回数以上のスイッチ３０の繰り返し移動に応じて、照明制御装置１のモードを変更した。ただし、変更部１１が、第１位置Ｐ１と第２位置Ｐ２との間のスイッチ３０の繰り返し移動するに応じて照明制御装置１のモードを変更する限り、スイッチ３０が所定時間内に第１位置Ｐ１と第２位置Ｐ２との間を繰り返し移動しなくてもよいし、スイッチ３０が第１位置Ｐ１と第２位置Ｐ２との間を所定回数以上繰り返し移動しなくてもよい。すなわち、変更部１１は、所定時間内の第１位置Ｐ１と第２位置Ｐ２との間のスイッチ３０の繰り返し移動に応じて、照明制御装置１のモードを変更してもよいし、第１位置Ｐ１と第２位置Ｐ２との間の所定回数以上のスイッチ３０の繰り返し移動に応じて、照明制御装置１のモードを変更してもよい。
【００６７】
（６）図７のステップＳ１０〜ステップＳ７０の順番は、適宜変更し得る。
【産業上の利用可能性】
【００６８】
本発明は、照明制御装置及び照明器具に関するものであり、産業上の利用可能性を有する。
【符号の説明】
【００６９】
１      照明制御装置
２      点灯装置
３      光源
１０    制御部
１１    変更部
１２    点灯制御部
１３    報知部
２０    検知部
３０    スイッチ
４０    操作部
Ｐ１    第１位置
Ｐ２    第２位置
Ｐ３    第３位置
【図１】
2020181641.tif 000003
【図２】
2020181641.tif 000004
【図３】
2020181641.tif 000005
【図４】
2020181641.tif 000006
【図５】
2020181641.tif 000007
【図６】
2020181641.tif 000008
【図７】
2020181641.tif 000009